(57)【要約】【課題】  従来、局部洗浄装置の逆止弁は一つであり、給水源からくる多種の異物にて、逆止弁が作動不良を起こす可能性があった。【解決手段】本発明では、人体の局部を洗浄する洗浄水を噴出する噴出装置と、前記洗浄水を温水にする熱交換器と、水道配管につながる給水口と、前記給水口から供給された水を通水する形態と止水する形態とに切替可能な止水弁と、前記水道配管より給水される水圧を調整する調整弁と、前記噴出装置より前記給水口に向かう水を阻止する逆止弁とをもつ局部洗浄装置において、噴出装置より給水口に向かう水を阻止する逆止弁とをもつ局部洗浄装置において、逆止弁を水路の２以上の複数箇所に設け、且つ、夫々が異なった弁構造を用いた。【選択図】  図３
2005105542.tif 000002
【特許請求の範囲】
【請求項１】
人体の局部を洗浄する洗浄水を噴出する噴出装置と、前記洗浄水を温水にする熱交換器と、水道配管につながる給水口と、前記給水口から供給された水を通水する形態と止水する形態とに切替可能な止水弁と、前記水道配管より給水される水圧を調整する調整弁と、前記噴出装置より前記給水口に向かう水を阻止する逆止弁とをもつ局部洗浄装置において、
前記逆止弁を水路の２以上の複数箇所に設け、且つ、夫々が異なった弁構造であることを特徴とする局部洗浄装置。
【請求項２】
前記止水弁の１次側にチャッキ弁方式の逆止弁を備え、前記止水弁の２次側にダックビル方式の逆止弁を備えたことを特徴とする請求項１記載の局部洗浄装置。
【請求項３】
前記ダックビル方式の逆止弁は、取り外し可能であることを特徴とする請求項２記載の局部洗浄装置。
【発明の詳細な説明】
【技術分野】
【０００１】
本発明は、局部洗浄装置に関し、特に安定した作動の給水機構を有する局部洗浄装置に関するものである。
【背景技術】
【０００２】
従来、装置本体の給水部に、逆止弁をフィルターに内蔵した水抜栓を備えた局部洗浄装置が提案されている。
【０００３】
この提案によれば給水時には、逆止弁によって逆流が防止でき、また、止水時には、水抜栓を抜くことにより、逆止弁も同時に外れ、給水栓の上流に溜まった水を簡単に確実に抜くことが可能で、凍結による損傷を防止することができ、さらに、ゴミや異物が混入された洗浄水が給水されても、フィルターで確実に除去することができ、装置本体の故障を防止することができるとされている。
【０００４】
また、逆止弁の方式として、ダックビル方式を用いることも、提案されている（例えば、特許文献２）。また、逆止弁を止水弁の２次側に設けた局部洗浄装置も提案されている（例えば、特許文献３）。
【０００５】
しかしながら、このような場合、局部洗浄装置の逆止弁は一つであり、給水源からくる多種の異物にて、逆止弁が作動不良を起こす可能性があるという課題があった。
【特許文献１】特開平１−９０３３０号公報
【特許文献２】特開２００１−１７３０７０号公報
【特許文献３】特開２００１−０２６９６４号公報
【発明の開示】
【発明が解決しようとする課題】
【０００６】
本発明は、上記問題を解決するためになされたもので、本発明の課題は、給水源からくる多種の異物が局部洗浄装置内に侵入しても逆止弁の性能を満足させることが可能な給水機構を有する局部洗浄装置を提供することにある。
【課題を解決するための手段】
【０００７】
上記目的を達成するために請求項１記載の発明によれば、人体の局部を洗浄する洗浄水を噴出する噴出装置と、前記洗浄水を温水にする熱交換器と、水道配管につながる給水口と、前記給水口から供給された水を通水する形態と止水する形態とに切替可能な止水弁と、前記水道配管より給水される水圧を調整する調整弁と、前記噴出装置より前記給水口に向かう水を阻止する逆止弁とをもつ局部洗浄装置において、前記逆止弁を水路の２以上の複数箇所に設け、且つ、夫々が異なった弁構造であることにより、複数の異種の逆止弁が設置されているので、異物混入の際、ある逆止弁は動作不良を起こしても、他方の逆止弁は動作不良を起こさず、効果がある。
【０００８】
また、請求項２記載の発明によれば請求項１の発明に加え、前記止水弁の１次側にチャッキ弁方式の逆止弁を備え、前記止水弁の２次側にダックビル方式の逆止弁を備えた。これにより、圧力耐性の強いチャッキ弁方式の逆止弁を一次側、圧力耐性はチャッキ弁方式より低いものの、弾性材料で構成されているため、低い差圧でもシール性を有し、逆止効果が期待できるダックビル方式の逆止弁を２次側に設けて、広範囲の差圧に対応することで、ウォーターハンマー現象での逆止弁の破損を防ぐことが可能となる。
【０００９】
また、請求項３記載の発明によれば、請求項２の発明に加え、前記ダックビル方式の逆止弁は、取り外し可能であることにより、仮に異物が混入した場合であっても、取り外しことにより異物を容易に取り除くことができるなど、メンテナンス性が向上する。
【発明の効果】
【００１０】
本発明によれば、逆止弁を水路の２以上の複数箇所に設け、且つ、夫々が異なった弁構造であることにより、複数の異種の逆止弁が設置されているので、異物混入の際、ある逆止弁は動作不良を起こしても、他方の逆止弁は動作不良を起こさない局部洗浄装置を提供することを効果とする。
【発明を実施するための最良の形態】
【００１１】
以下、本発明の一形態である衛生洗浄装置１について図を用いて説明する。
【００１２】
図１は、本発明の一実施の形態にかかる局部洗浄装置１の透視斜視図であり、局部洗浄装置１は、洗浄水をヒータにより瞬間的に所望の温度まで沸かして人体局部に向けて噴出する、いわゆる瞬間式の洗浄装置である。
【００１３】
図１において、局部洗浄装置１は、上流側から順に説明すると、給水源に接続される給水金具２と、給水・止水部３と、熱交換器４と、洗浄水噴出部５と、電子制御装置６と、各種のセンサやスイッチとを備えている。局部洗浄装置の各部は、スイッチやセンサからの信号に基づいて電子制御装置６により制御される。すなわち、給水源から給水された洗浄水は、給水・止水部３により減圧されて熱交換器４に供給され、この熱交換器４で所望の温度にまで加熱されてから、洗浄水噴出部５のノズルに供給する。洗浄水噴出部５は、洗浄水をノズル先端の噴出口５ａから人体局部に向けて噴出し、これにより人体局部を洗浄する。
【００１４】
次に、局部洗浄装置の各部の構成及び動作について、まず、図１と、給水・止水部３の断面図である図２と、給水・止水部３と第二の逆止弁７とリリーフ弁８の組立図である図３を用いて説明する。給水金具２は、給水源からの洗浄水に含まれているゴミなどを除去するためのストレーナ（図示なし）を内蔵し、給水・止水部３は、第一の逆止弁３ａと、水圧の調整弁としての減圧弁３ｂと、止水弁３ｃを備えている。第一の逆止弁３ａはチャッキ弁方式の逆止弁であり、弁３ｄとバネ３ｅと弁本体３ｆで構成しており、弁３ｄの材料はシール部材を使用しており、Ｏリングでも構わない。水圧がかかると弁３ｄは上昇するが、止水状態であれば、バネ３ｅの力で水路を閉塞する。
【００１５】
給水・止水部３の外部に、第二の逆止弁７と、リリーフ弁８が備えられている。第二の逆止弁７は、断面図である図４に示すように、給水部・止水部３よりくる洗浄水は、第二の逆止弁７内のダックビル７ａに通水され、弁部７ｂが開きリリーフ弁８へ通水される。止水時の場合は、材料自体の弾性で弁部７ｂが水路を閉塞する。また、逆流が発生した場合も同様で、弁部７ｂが水路を閉塞する。ダックビル７ａの材質としては、弾性部材であるシリコーンゴムやＥＰＤＭが性能的に良好である。
【００１６】
減圧弁３ｂは、給水源からの流量を所定圧（０．０８ＭＰａ程度）として、高い給水圧が熱交換器４に加わるのを防止する弁である。また、止水弁３ｃは、後述する洗浄動作指令信号に基づいて開閉することで洗浄水噴出部５から洗浄水を人体局部に向けて噴出または停止するための弁である。さらに、リリーフ弁８は、所定圧（０．２ＭＰａ）以上で開弁することにより、減圧弁３ｂが故障した場合であっても熱交換器へ所定（０．２ＭＰａ）以上の水圧が加わるのを防止して熱交換器４を保護するための弁である。
【００１７】
また、熱交換器４は、断面図である図５の示すようにヒータ４ａを内蔵して、ヒータ４ａへの通電量を制御することにより所望の温度の洗浄水を供給するものであり、瞬間式の熱交換器であることから、連続的に給水源から供給される洗浄水を所望の温度まで加熱することができるヒータ容量に設定されている。
【００１８】
熱交換器内４には、フロートスイッチ４ｂが設置されている。フロートスイッチ４ｂは、熱交換器内の温水の水位を検出するものであり、熱交換器内の空気の有無を検出して空焚きを防止するセンサとして作用する。この熱交換器の下流側には、バキュームブレーカ４ｃが接続されており、管路を大気開放することで洗浄水噴出部側からの洗浄水の逆流を防止している。
【００１９】
洗浄水噴出部５は、図示しないが、切換弁と、洗浄ノズルと、ノズル駆動部を備えている。すなわち、切換弁は、電子制御装置６からの制御信号を受けて、ステッピングモータの駆動により、管路開放と流量調整を行う切替弁であり、各ポートに接続された流路を選択的に連通するモードと、各ポートを全開にするモードとを備えている。この切替弁は、お尻洗浄のための第１流路と、ビデ洗浄のための第２流路を切り替える。
【００２０】
次に、電子制御装置６により制御される止水弁３ｃなどの駆動部について説明する。電子制御装置６は、ＣＰＵ、ＲＯＭ、ＲＡＭ等を有する論理演算回路として構成され、局部洗浄装置における種々の制御を実行する。電子制御装置６には、各種の設定ボタンの信号やセンサの出力を入力する。すなわち、使用者に操作されその使用意図を電気信号に変換して電子制御装置６に出力する操作部（図示無し）を備えている。操作部は、リモートコントローラ（図示無し）から構成されており、局部洗浄に付随する種々の指令を使用者のボタン操作に伴い電子制御装置６に出力すべく、各種の操作ボタンを備える。
【００２１】
図示をしないが局部洗浄装置１のオンオフを行うメインスイッチと、局部の洗浄を開始するためのお尻洗浄ボタンやビデ洗浄ボタン、停止ボタン、水勢などに強弱の変化をつけた洗浄水の噴出を設定するマッサージ設定ボタン、洗浄ノズルを揺動させた局部の洗浄を設定するムーブ設定ボタン、洗浄水の温度を調節する吐水温設定ボタン、洗浄強度を設定する水勢設定ボタン、洗浄水の水量を設定する水量設定ボタン等を設けている。
【００２２】
また、センサとして、図１に示すように便座９に使用者が着座したことを検出する着座センサ１０と、トイレ室内の人の入室を検知する人体センサ１１と、給水・止水部３に設けられた入水温度を検出する入水温度センサ３ｇと、熱交換器４に設けられて出水温度を検出する出水温センサ４ｄと、フロートスイッチ４ｂが設けられている。
【００２３】
上記電子制御装置６は、上記入水温センサ３ｇ及び出水温センサ４ｄからの出力信号を受けて、吐水温度設定値に向かうように、ヒータ４ａをオン／オフすることにより、貯留洗浄水を適温に維持するようにフィードバック制御を実行する。また、電子制御装置６は、フロートスイッチ４ｂからの水位信号の入力状態に応じてヒータ４ａは止水弁３ｃを制御し、空焚き防止や水位維持を図っている。
【００２４】
また、断水などの異常時に、ヒータ４ａへの通電を停止し、給水・止水部３の止水弁３ｃを閉成し、洗浄ノズル５を収納する動作を行う。
【００２５】
以上の構成により、本発明では第一の逆止弁３ａとして給水・止水部３の止水弁の１次側にチャッキ弁を設けた。これにより、止水弁の閉時に発生するウォーターハンマー現象でチャッキ弁の構造であれば破損が発生することはない。第二の逆止弁として給水・止水部３の外にダックビル方式の逆止弁７を設けた。これにより、逆止弁は２次側に設けているためウォーターハンマー現象が発生しても、水圧によりダックビルの弁部が劣化し逆止不良となることはない。
【００２６】
また、前述のように第一の逆止弁３ａで用いたチャッキ弁は、ウォーターハンマー現象に強く、耐久性にも優れているが、針金のような異物がバネ部に引っかかると作動不良となることがある。第二の逆止弁で用いたダックビル方式は、針金のような異物が弁部に挟まっても、逆流の際は水路を閉塞することは可能であるが、耐久性や逆止性能が劣る面がある。
【００２７】
よって、第一の逆止弁と第二の逆止弁は、異種構造の逆止弁であり、ウォーターハンマー現象よる逆止弁破損は発生せず、且つ、異物によって、一つの逆止弁が作動不良となっても、他方で逆流を防止すことが可能となっている。
【００２８】
また、給水・止水部３と第二の逆止弁７とリリーフ弁８は、チューブによる配管接続をしているため、第二の逆止弁７に異常があった場合、容易に交換することが可能である。
【図面の簡単な説明】
【００２９】
【図１】本発明の透視斜視図
【図２】本発明の給水・止水部の断面図
【図３】本発明の部分組立図
【図４】本発明の第２の逆止弁の断面図
【図５】本発明の熱交換器の断面図
【符号の説明】
【００３０】
１…局部洗浄装置
２…給水金具
３…給水・止水部
３ａ…第一の逆止弁
３ｂ…減圧弁（調整弁）
４…熱交換器
５…洗浄水噴出部
６…電子制御装置
７…第二の逆止弁
８…リリーフ弁
９…便座
１０…着座センサー
１１…人体センサー
【図１】
2005105542.tif 000003
【図２】
2005105542.tif 000004
【図３】
2005105542.tif 000005
【図４】
2005105542.tif 000006
【図５】
2005105542.tif 000007